(57)【要約】【課題】  衣類の、ワイシャツやブラウスシャツの袖口が汚れるのを防止するため、ワイシャツやブラウスシャツの袖口に丸形状、多角形状の膨隆部を設けた袖口用袖口カバーを、市販ワイシャツやブラウスシャツの袖口に着脱自在に装着する袖口用袖口カバー。【手段】  本発明は、ワイシャツやブラウスシャツの袖口用袖口カバーで、紐形状又は帯形状の内側に丸形状、多角形状の膨隆部１を設け、外側に掛止部材３を設け、ワイシャツやブラウスシャツの袖口に掛止部材３と相対して被掛止部材を設けて、着脱自在にそれぞれを掛止して袖口用袖口カバーを装着する。【選択図】 図２
2018053397.tif 000002
【特許請求の範囲】
【請求項１】
衣類において、紐形状部材又は帯形状部材の長手方向一側面にその側面より高い膨隆部を有し他側面長手方向に接合部材を設け袖口内側に着脱自在に接合することを特徴とする、袖口用袖口カバー。
【請求項２】
紐形状部材又は帯形状部材の長手方向縁辺又は長手方向縁辺近傍にその大きさより大きな膨隆部を設けることを特徴とする、請求項１に記載の袖口用袖口カバー。
【請求項３】
前記膨隆部の短手方向断面は丸形状又は半円形状又は多角形状のいずれかであることを特徴とする、請求項１又は２に記載の袖口用袖口カバー。
【請求項４】
前記膨隆部は線形状又は鎖線形状又は点形状のいずれかに配置して設けることを特徴とする、請求項１、２、及び３に記載の袖口用袖口カバー。
【請求項５】
前記帯形状部材を膨隆部より先端方向に突出して設けて折り返しかつ膨隆部両端より突出して設けることを特徴とする、請求項１、２、３又は４に記載の
【請求項６】
前記袖口カバーを袖口より前方に突出して着脱自在に接合することを特徴とする、請求項１、２、３又は４に記載の袖口用袖口カバー。
【請求項７】
前記袖口カバーを袖口の先端に着脱自在に接合することを特徴とする、請求項１、２、３、４、５又は６に記載の袖口用袖口カバー。
【発明の詳細な説明】
【技術分野】
【０００１】
本発明は、汚れを防止するために衣類の袖口の内側に装着して用いる袖口カバーに関するものである。
【背景技術】
【０００２】
従来、袖の汚れを防止したり軽減するため、筒形状に構成した袖口カバーを装着していた。
（特許文献１参照）
【特許文献１】特願２００５−１３４２１４
【発明の開示】
【発明が解決しようとする課題】
【０００３】
そのために次のような問題点があった。
袖口カバーが筒形状であるため、市販衣類の多種類袖口の大きさに適応するには、多種類の袖口を準備しておくために、経費がかかる問題があった。
【課題を解決するための手段】
【０００４】
請求項１によれば、
衣類において、紐形状部材又は帯形状部材の長手方向一側面にその側面より高い膨隆部を有し他側面長手方向に接合部材を設け袖口内側に着脱自在に接合することを特徴とする。
請求項２によれば、
紐形状部材又は帯形状部材の長手方向縁辺又は長手方向縁辺近傍にその大きさより大きな膨隆部を設けることを特徴とする。
請求項３によれば、
前記膨隆部の短手方向断面は丸形状又は半円形状又は多角形状のいずれかであることを特徴とする。
請求項４によれば、
前記膨隆部は線形状又は鎖線形状又は点形状のいずれかに配置して設けることを特徴とする。
請求項５によれば、
前記帯形状部材を膨隆部より先端方向に突出して設けて折り返しかつ膨隆部両端より突出して設けることを特徴とする。
請求項６によれば、
前記袖口カバーを袖口より前方に突出して着脱自在に接合することを特徴とする。
請求項７によれば、
前記袖口カバーを袖口の先端に着脱自在に接合することを特徴とする。
【発明の効果】
【０００５】
袖口用袖口カバーを取り外して洗濯できて、衣類本体の洗濯回数を減少できる。
【発明を実施するための最良の形態】
【０００６】
以下、本発明の実施の形態を説明する。
発明の説明に先んじて、現在の問題を図１で説明する。
図１において、
（Ｅ）は、
市販シャツ袖Ｇの市販シャツ袖口Ｊの内側先端Ｉで市販シャツ
袖口先端で汚れる部位Ｄを示す。
（Ｆ）は、
（Ｅ）の汚れる部位Ｄに略一致した袖膨隆部６を有する袖口カバー５を構成して、市販シャツ袖口Ｊの内側に装着した図である。
手首の皮膚と袖膨隆部６が接触するので、市販シャツ袖口先端Ｉは手首の皮膚から浮いた状態となり、袖口カバー先端４が市販シャツ袖口先端Ｉより見えない内側に装着する。
市販シャツ袖口Ｊの汚れを防止できる。
【０００７】
図２以降発明を説明する。
図２において、
（Ｃ）は、
袖口カバー５の前方Ｋの内側に膨隆部１を長手方向の両端に渡って設け、後方の外側に掛止部材３を設ける。又膨隆部１を袖口カバー５の前縁辺の両端に渡って設けてもよい。
（Ｄ）は、
（Ｃ）の外側の図で、袖口カバー５の外側で後方に掛止部材３を設ける。
これにより、市販衣類側の袖口に、掛止部材３に相対して掛止部材を設けて、着脱自在にすると袖口カバー５を着脱できる。
（Ｆ）は、
掛止部材３として、ファスナー６５の一方端長手方向を衣類袖口後方に固着し他方端長手方向を袖口カバー５の後方縁辺に固着し、ファスナーの他方端を衣類袖７１に固着して、ファスナーの着脱により袖口カバーを着脱してもよい。
図３において、
膨隆部の構成方法は
（Ｅ）は膨隆部１を袖口カバー５の先端縁辺に渡り接続して設けている。
（Ｆ）は膨隆部１を袖口カバー５の先端縁辺に渡り、先端縁辺近傍を膨隆して設けている。
（Ｇ）は膨隆部１を袖口カバー５の先端縁辺の内側に渡り接続して設けている。
（Ｈ）は膨隆部１を袖口カバー５の先端縁辺に渡り、先端縁辺近傍内側を膨隆して設けている。
【０００８】
図７において、
（Ａ）は、袖口カバー５を膨隆部１より先端方向に突出して設け、
袖口カバー５の先端部を膨隆部１より先端方向で外側に折り返して、折り返し部３１を設けた構成で、
袖口カバー５に掛止部材２８、２９、３０を設け、それぞれに相対させて市販シャツ側掛止部材２５、２６、２７を設け、
袖口カバー５に掛止部材２８、２９、３０と掛止部材２８、２９、３０を
それぞれ着脱自在に掛止させて袖口カバー５を市販シャツ袖口Ｊに着脱自在に掛止し、
折り返し部３１を市販シャツ袖口Ｊの外側へ被せて折り曲げる。
この際、膨隆部１の先端側に沿って折り曲げ、折り返し部谷３２にすると、袖口の汚れる部位に膨隆部１が位置するようになる。
又、折り返し部谷３２と市販シャツ袖口先端Ｉを略一致させて折り曲げるように調整する。
市販シャツ袖口先端Ｉが折り返し部谷３２に包含されることで、袖口カバー５のみが見えて外見上好ましくなる。
折り返し部３１を設ける際、掛止部材２８、２９、３０を覆うように、折り返すと、掛止部材３０が露出せず外見がよくなる。
（Ｄ）は、折り返し部３１を折り返して、市販シャツ袖口Ｊに装着した状態である。
袖口カバー５と折り返し部３１それぞれの両端を市販シャツ袖口Ｊ両端より長く揃えて設け、両端に孔３９を開けてカフスボタンＯを装着しても良い。
（図１０（Ｂ）（Ｃ）（Ｄ）参照）
（Ｃ）は、袖口カバー５をＭ市販シャツボタン孔とＮ市販シャツのボタンで掛止した状態である。
【０００９】
図１０において、
（Ａ）は袖口カバー５の両端と同じ大きさの折り返し部３１を有する構成で、又
これにより市販シャツ袖口Ｊを袖口カバー５と折り返し部３１の間に挟み込み外から見えなくすることができる。
（Ｂ）は、袖口カバー５両端より突出して突出折り返し部４５構成すると、突出折り返し部４５を相互に密着させてカフスボタンＯを使用する際、重ね部を薄くできる。（Ｄ）参照。
（Ｃ）は袖膨隆部６を袖口カバー突出部４６より短く設けている。
（Ｄ）は、突出折り返し部４５の短部に孔３９を設けて、装飾のカフスボタンＯを用いるのを可能にしている。
（Ｅ）は、（Ｄ）のＡーＡ断面で、内側に袖口カバー５、中間に市販シャツ袖口Ｊ、外側に突出折り返し部４５になって市販シャツ袖口Ｊを挟み込んでいる。
【００１０】
図１１において、
（Ｄ）は線膨隆部４７を設けた袖口カバー５で、線膨隆部４７は複数設けてもよく、
（Ｅ）は鎖線膨隆部４８を線状に配置して設けた袖口カバー５で全ての面に配置して設けてもよく、
（F）は点膨隆部４９を線状に配置して設けた袖口カバー５で点膨隆部４９は全ての面に配置しても良い。
【００１１】
図１２において、
（Ｄ）は小鉛直膨隆部５１を複数並べて設けたことで通気が良くなる袖口カバー５、
（Ｅ）は線膨隆部４７を複数本、設けたことで皮膚の接触面が増し、皮膚のすれが減少する袖口カバー５、
（Ｆ）は鉛直膨隆部５０を複数設けたことで手首の通気が良くなり高温時には体温が下げられる、袖口カバー５、
（Ｇ）は点膨隆部４９を縦に複数設けたことで汚染部が少なくなり通気が良くなる袖口カバー５、又、点膨隆部４９はすｂ全ての面に列にせず、複数配置してもよい。
（Ｈ）は小鉛直膨隆部５１を袖口カバー５ の前方に複数配置して設けたことで通気が良くなる袖口カバー５。
（Ｉ）は点膨隆部４９を全ての面に配置した袖口カバー５、
【００１２】
図１３において、
（Ｇ）市販シャツ袖口Ｊに半丸紐袖口カバー５６を掛止部材３で接合した状態を示し、
紐形状部材７３の一方側に半丸膨隆部７２を設け、反対側に掛止部材３を設けて、Ｊ市販シャツ袖口Ｊに着脱自在に接合し、
（Ｈ）市販シャツ袖口Ｊに丸紐袖口カバー５７を掛止部材３で接合した状態を示し、
紐形状部材７３の一方側に丸膨隆部７４を設け、反対側に掛止部材３を設けて、Ｊ市販シャツ袖口Ｊに着脱自在に接合する。紐形状部材７３には、組紐など紐形状部材なりなんでも良い。
これにより汚れた際に、５６半丸紐袖口カバー、５７丸紐袖口カバーを剥がして、新しいものと交換すると、市販シャツＬの洗濯回数が減ることを得る。
（Ｉ）は紐形状部材７３に接合部材７６で半丸膨隆部７２を設けた状態の拡大図で、
（Ｊ）は紐形状部材７３に接合部材７６で丸膨隆部７２を設けた状態の拡大図で、７５カバー７５で丸膨隆部７４と紐形状部材７３を包含してもよく、いずれも接合できる部材なら何でもよい。
【００１３】
図１４において、
（Ｅ）はシャツの袖口を前袖口６６と後ろ袖口６７に分離し、分離面それぞれの間にファスナー６５を設け、前袖口６６と後ろ袖口６７を着脱自在に接合する。
前袖口６６に膨隆部６を設け、袖口カバー５として作用させ、前袖口６６と後ろ袖口６７の合計長は一般シャツの袖口の長さに一致させる。
【図面の簡単な説明】
【００１４】
【図１】袖口汚れの発生原因
【図２】膨隆部付袖口カバー
【図３】膨隆部の配置
【図７】袖口カバー折り曲げ部を設ける
【図１０】袖口カバーの折り返し部構成
【図１１】膨隆部の形状と配置方法１
【図１２】膨隆部の形状と配置方法２
【図１３】紐・帯形状の袖口カバー
【図１４】袖口の先端に袖口カバーを設ける
【符号の説明】
【００１５】
Ｇ市販シャツ袖
Ｈ前方
Ｉ市販シャツ袖口先端
Ｊ市販シャツ袖口
Ｋ前方
Ｌ市販シャツ
Ｍ市販シャツのボタン孔
Ｎ市販シャツのボタン
Ｏカフスボタン
１膨隆部
３掛止部材
４袖口カバー先端
５袖口カバー
６膨隆部
７膨隆部材
８突片
９接合離反部材
１１模様
２３接合離反テープ凸
２４接合離反テープ凹
２５市販シャツ側掛止部材
２６市販シャツ側掛止部材
２７市販シャツ側掛止部材
２８掛止部材
２９掛止部材
３０掛止部材
３１折り返し部
３２折り返し部谷
３７端部
３８ボタン
３９孔
４０装飾部材
４３丸形状膨隆部
４４多角形状膨隆部
４５突出折り返し部
４６袖口カバー突出部
４７線膨隆部
４８鎖線膨隆部
４９点膨隆部
５０鉛直膨隆部
５１小鉛直膨隆部
５６半丸紐袖口カバー
５７丸紐袖口カバー
５８多角帯袖口カバー
５９接合部材凸
６０接合部材凹
６１接合離反部材Ａ
６２接合離反部材Ｂ
６５ファスナー
６６前袖口
６７後ろ袖口
７０衣類袖口
７１衣類袖
７２半丸膨隆部
７３紐形状部材
７４丸膨隆部
７５カバー
７６接合部材
【図１】
2018053397.tif 000003
【図２】
2018053397.tif 000004
【図３】
2018053397.tif 000005
【図７】
2018053397.tif 000006
【図１０】
2018053397.tif 000007
【図１１】
2018053397.tif 000008
【図１２】
2018053397.tif 000009
【図１３】
2018053397.tif 000010
【図１４】
2018053397.tif 000011
【手続補正書】
【提出日】平成28年11月3日(2016.11.3)
【手続補正１】
【補正対象書類名】明細書
【補正対象項目名】全文
【補正方法】変更
【補正の内容】
【発明の詳細な説明】
【技術分野】
【０００１】
本発明は、汚れを防止するために衣類の袖口の内側に装着して用いる袖口カバーに関するものである。
【背景技術】
【０００２】
従来、袖の汚れを防止したり軽減するため、筒形状に構成した袖口カバーを装着していた。
（特許文献１参照）
【特許文献１】特願２００５−１３４２１４
【発明の開示】
【発明が解決しようとする課題】
【０００３】
そのために次のような問題点があった。
袖口カバーが筒形状であるため、市販衣類の多種類袖口の大きさに適応するには、多種類の袖口を準備しておくために、経費がかかる問題があった。
【課題を解決するための手段】
【０００４】
請求項１によれば、
衣類において、紐形状部材又は帯形状部材の長手方向一側面にその側面より高い膨隆部を有し他側面長手方向に接合部材を設け袖口内側に着脱自在に接合することを特徴とする。
請求項２によれば、
紐形状部材又は帯形状部材の長手方向縁辺又は長手方向縁辺近傍にその大きさより大きな膨隆部を設けることを特徴とする。
請求項３によれば、
前記膨隆部の短手方向断面は丸形状又は半円形状又は多角形状のいずれかであることを特徴とする。
請求項４によれば、
前記膨隆部は線形状又は鎖線形状又は点形状のいずれかに配置して設けることを特徴とする。
請求項５によれば、
前記帯形状部材を膨隆部より先端方向に突出して設けて折り返しかつ膨隆部両端より突出して設けることを特徴とする。
請求項６によれば、
前記袖口カバーを袖口より前方に突出して着脱自在に接合することを特徴とする。
請求項７によれば、
前記袖口カバーを袖口の先端に着脱自在に接合することを特徴とする。
【発明の効果】
【０００５】
袖口用袖口カバーを取り外して洗濯できて、衣類本体の洗濯回数を減少できる。
【発明を実施するための最良の形態】
【０００６】
以下、本発明の実施の形態を説明する。
発明の説明に先んじて、現在の問題を図１で説明する。
図１において、
（Ｅ）は、
市販シャツ袖Ｇの市販シャツ袖口Ｊの内側先端Ｉで市販シャツ
袖口先端で汚れる部位Ｄを示す。
（Ｆ）は、
（Ｅ）の汚れる部位Ｄに略一致した袖膨隆部６を有する袖口カバー５を構成して、市販シャツ袖口Ｊの内側に装着した図である。
手首の皮膚と袖膨隆部６が接触するので、市販シャツ袖口先端Ｉは手首の皮膚から浮いた状態となり、袖口カバー先端４が市販シャツ袖口先端Ｉより見えない内側に装着する。
市販シャツ袖口Ｊの汚れを防止できる。
【０００７】
図２以降発明を説明する。
図２において、
（Ｃ）は、
袖口カバー５の前方Ｋの内側に膨隆部１を長手方向の両端に渡って設け、後方の外側に掛止部材３を設ける。又膨隆部１を袖口カバー５の前縁辺の両端に渡って設けてもよい。
（Ｄ）は、
（Ｃ）の外側の図で、袖口カバー５の外側で後方に掛止部材３を設ける。
これにより、市販衣類側の袖口に、掛止部材３に相対して掛止部材を設けて、着脱自在にすると袖口カバー５を着脱できる。
（Ｆ）は、
掛止部材３として、ファスナー６５の一方端長手方向を衣類袖口後方に固着し他方端長手方向を袖口カバー５の後方縁辺に固着し、ファスナーの他方端を衣類袖７１に固着して、ファスナーの着脱により袖口カバーを着脱してもよい。
図３において、
膨隆部の構成方法は
（Ｅ）は膨隆部１を袖口カバー５の先端縁辺に渡り接続して設けている。
（Ｆ）は膨隆部１を袖口カバー５の先端縁辺に渡り、先端縁辺近傍を膨隆して設けている。
（Ｇ）は膨隆部１を袖口カバー５の先端縁辺の内側に渡り接続して設けている。
（Ｈ）は膨隆部１を袖口カバー５の先端縁辺に渡り、先端縁辺近傍内側を膨隆して設けている。
【０００８】
図４において、
（Ａ）は、袖口カバー５を膨隆部１より先端方向に突出して設け、
袖口カバー５の先端部を膨隆部１より先端方向で外側に折り返して、折り返し部３１を設けた構成で、
袖口カバー５に掛止部材２８、２９、３０を設け、それぞれに相対させて市販シャツ側掛止部材２５、２６、２７を設け、
袖口カバー５に掛止部材２８、２９、３０と掛止部材２８、２９、３０を
それぞれ着脱自在に掛止させて袖口カバー５を市販シャツ袖口Ｊに着脱自在に掛止し、
折り返し部３１を市販シャツ袖口Ｊの外側へ被せて折り曲げる。
この際、膨隆部１の先端側に沿って折り曲げ、折り返し部谷３２にすると、袖口の汚れる部位に膨隆部１が位置するようになる。
又、折り返し部谷３２と市販シャツ袖口先端Ｉを略一致させて折り曲げるように調整する。
市販シャツ袖口先端Ｉが折り返し部谷３２に包含されることで、袖口カバー５のみが見えて外見上好ましくなる。
折り返し部３１を設ける際、掛止部材２８、２９、３０を覆うように、折り返すと、掛止部材３０が露出せず外見がよくなる。
（Ｄ）は、折り返し部３１を折り返して、市販シャツ袖口Ｊに装着した状態である。
袖口カバー５と折り返し部３１それぞれの両端を市販シャツ袖口Ｊ両端より長く揃えて設け、両端に孔３９を開けてカフスボタンＯを装着しても良い。
（図５（Ｂ）（Ｃ）（Ｄ）参照）
（Ｃ）は、袖口カバー５をＭ市販シャツボタン孔とＮ市販シャツのボタンで掛止した状態である。
【０００９】
図５において、
（Ａ）は袖口カバー５の両端と同じ大きさの折り返し部３１を有する構成で、又
これにより市販シャツ袖口Ｊを袖口カバー５と折り返し部３１の間に挟み込み外から見えなくすることができる。
（Ｂ）は、袖口カバー５両端より突出して突出折り返し部４５構成すると、突出折り返し部４５を相互に密着させてカフスボタンＯを使用する際、重ね部を薄くできる。（Ｄ）参照。
（Ｃ）は袖膨隆部６を袖口カバー突出部４６より短く設けている。
（Ｄ）は、突出折り返し部４５の短部に孔３９を設けて、装飾のカフスボタンＯを用いるのを可能にしている。
（Ｅ）は、（Ｄ）のＡーＡ断面で、内側に袖口カバー５、中間に市販シャツ袖口Ｊ、外側に突出折り返し部４５になって市販シャツ袖口Ｊを挟み込んでいる。
【００１０】
図６において、
（Ｄ）は線膨隆部４７を設けた袖口カバー５で、線膨隆部４７は複数設けてもよく、
（Ｅ）は鎖線膨隆部４８を線状に配置して設けた袖口カバー５で全ての面に配置して設けてもよく、
（F）は点膨隆部４９を線状に配置して設けた袖口カバー５で点膨隆部４９は全ての面に配置しても良い。
【００１１】
図７において、
（Ｄ）は小鉛直膨隆部５１を複数並べて設けたことで通気が良くなる袖口カバー５、
（Ｅ）は線膨隆部４７を複数本、設けたことで皮膚の接触面が増し、皮膚のすれが減少する袖口カバー５、
（Ｆ）は鉛直膨隆部５０を複数設けたことで手首の通気が良くなり高温時には体温が下げられる、袖口カバー５、
（Ｇ）は点膨隆部４９を縦に複数設けたことで汚染部が少なくなり通気が良くなる袖口カバー５、又、点膨隆部４９はすｂ全ての面に列にせず、複数配置してもよい。
（Ｈ）は小鉛直膨隆部５１を袖口カバー５ の前方に複数配置して設けたことで通気が良くなる袖口カバー５。
（Ｉ）は点膨隆部４９を全ての面に配置した袖口カバー５、
【００１２】
図８において、
（Ｇ）市販シャツ袖口Ｊに半丸紐袖口カバー５６を掛止部材３で接合した状態を示し、
紐形状部材７３の一方側に半丸膨隆部７２を設け、反対側に掛止部材３を設けて、Ｊ市販シャツ袖口Ｊに着脱自在に接合し、
（Ｈ）市販シャツ袖口Ｊに丸紐袖口カバー５７を掛止部材３で接合した状態を示し、
紐形状部材７３の一方側に丸膨隆部７４を設け、反対側に掛止部材３を設けて、Ｊ市販シャツ袖口Ｊに着脱自在に接合する。紐形状部材７３には、組紐など紐形状部材なりなんでも良い。
これにより汚れた際に、５６半丸紐袖口カバー、５７丸紐袖口カバーを剥がして、新しいものと交換すると、市販シャツＬの洗濯回数が減ることを得る。
（Ｉ）は紐形状部材７３に接合部材７６で半丸膨隆部７２を設けた状態の拡大図で、
（Ｊ）は紐形状部材７３に接合部材７６で丸膨隆部７２を設けた状態の拡大図で、７５カバー７５で丸膨隆部７４と紐形状部材７３を包含してもよく、いずれも接合できる部材なら何でもよい。
【００１３】
図９において、
（Ｅ）はシャツの袖口を前袖口６６と後ろ袖口６７に分離し、分離面それぞれの間にファスナー６５を設け、前袖口６６と後ろ袖口６７を着脱自在に接合する。
前袖口６６に膨隆部６を設け、袖口カバー５として作用させ、前袖口６６と後ろ袖口６７の合計長は一般シャツの袖口の長さに一致させる。
【００１４】
図１袖口汚れの発生原因
図２膨隆部付袖口カバー
図３膨隆部の配置
図４袖口カバー折り曲げ部を設ける
図５袖口カバーの折り返し部構成
図６膨隆部の形状と配置方法１
図７膨隆部の形状と配置方法２
図８紐・帯形状の袖口カバー
図９袖口の先端に袖口カバーを設ける
【手続補正２】
【補正対象書類名】図面
【補正対象項目名】全図
【補正方法】変更
【補正の内容】
【図１】
2018053397.tif 000012
【図２】
2018053397.tif 000013
【図３】
2018053397.tif 000014
【図４】
2018053397.tif 000015
【図５】
2018053397.tif 000016
【図６】
2018053397.tif 000017
【図７】
2018053397.tif 000018
【図８】
2018053397.tif 000019
【図９】
2018053397.tif 000020
【手続補正書】
【提出日】平成28年11月25日(2016.11.25)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は、汚れを防止するために衣類の袖口の内側に装着して用いる袖口カバーに関するものである。
【背景技術】
【０００２】
従来、袖の汚れを防止したり軽減するため、筒形状に構成した袖口カバーを装着していた。
（特許文献１参照）
【特許文献１】特願２００５−１３４２１４
【発明の開示】
【発明が解決しようとする課題】
【０００３】
そのために次のような問題点があった。
袖口カバーが筒形状であるため、市販衣類の多種類袖口の大きさに適応するには、多種類の袖口を準備しておくために、経費がかかる問題があった。
【課題を解決するための手段】
【０００４】
請求項１によれば、
衣類において、紐形状部材又は帯形状部材の長手方向一側面にその側面より高い膨隆部を有し他側面長手方向に接合部材を設け袖口内側に着脱自在に接合することを特徴とする。
請求項２によれば、
紐形状部材又は帯形状部材の長手方向縁辺又は長手方向縁辺近傍にその大きさより大きな膨隆部を設けることを特徴とする。
請求項３によれば、
前記膨隆部の短手方向断面は丸形状又は半円形状又は多角形状のいずれかであることを特徴とする。
請求項４によれば、
前記膨隆部は線形状又は鎖線形状又は点形状のいずれかに配置して設けることを特徴とする。
請求項５によれば、
前記帯形状部材を膨隆部より先端方向に突出して設けて折り返しかつ膨隆部両端より突出して設けることを特徴とする。
請求項６によれば、
前記袖口カバーを袖口より前方に突出して着脱自在に接合することを特徴とする。
請求項７によれば、
前記袖口カバーを袖口の先端に着脱自在に接合することを特徴とする。
【発明の効果】
【０００５】
袖口用袖口カバーを取り外して洗濯できて、衣類本体の洗濯回数を減少できる。
【発明を実施するための最良の形態】
【０００６】
以下、本発明の実施の形態を説明する。
発明の説明に先んじて、現在の問題を図１で説明する。
図１において、
（Ｅ）は、
市販シャツ袖Ｇの市販シャツ袖口Ｊの内側先端Ｉで市販シャツ
袖口先端で汚れる部位Ｄを示す。
（Ｆ）は、
（Ｅ）の汚れる部位Ｄに略一致した袖膨隆部６を有する袖口カバー５を構成して、市販シャツ袖口Ｊの内側に装着した図である。
手首の皮膚と袖膨隆部６が接触するので、市販シャツ袖口先端Ｉは手首の皮膚から浮いた状態となり、袖口カバー先端４が市販シャツ袖口先端Ｉより見えない内側に装着する。
市販シャツ袖口Ｊの汚れを防止できる。
【０００７】
図２以降発明を説明する。
図２において、
（Ｃ）は、
袖口カバー５の前方Ｋの内側に膨隆部１を長手方向の両端に渡って設け、後方の外側に掛止部材３を設ける。又膨隆部１を袖口カバー５の前縁辺の両端に渡って設けてもよい。
（Ｄ）は、
（Ｃ）の外側の図で、袖口カバー５の外側で後方に掛止部材３を設ける。
これにより、市販衣類側の袖口に、掛止部材３に相対して掛止部材を設けて、着脱自在にすると袖口カバー５を着脱できる。
（Ｆ）は、
掛止部材３として、ファスナー６５の一方端長手方向を衣類袖口後方に固着し他方端長手方向を袖口カバー５の後方縁辺に固着し、ファスナーの他方端を衣類袖７１に固着して、ファスナーの着脱により袖口カバーを着脱してもよい。
図３において、
膨隆部の構成方法は
（Ｅ）は膨隆部１を袖口カバー５の先端縁辺に渡り接続して設けている。
（Ｆ）は膨隆部１を袖口カバー５の先端縁辺に渡り、先端縁辺近傍を膨隆して設けている。
（Ｇ）は膨隆部１を袖口カバー５の先端縁辺の内側に渡り接続して設けている。
（Ｈ）は膨隆部１を袖口カバー５の先端縁辺に渡り、先端縁辺近傍内側を膨隆して設けている。
【０００８】
図４において、
（Ａ）は、袖口カバー５を膨隆部１より先端方向に突出して設け、
袖口カバー５の先端部を膨隆部１より先端方向で外側に折り返して、折り返し部３１を設けた構成で、
袖口カバー５に掛止部材２８、２９、３０を設け、それぞれに相対させて市販シャツ側掛止部材２５、２６、２７を設け、
袖口カバー５に掛止部材２８、２９、３０と掛止部材２８、２９、３０を
それぞれ着脱自在に掛止させて袖口カバー５を市販シャツ袖口Ｊに着脱自在に掛止し、
折り返し部３１を市販シャツ袖口Ｊの外側へ被せて折り曲げる。
この際、膨隆部１の先端側に沿って折り曲げ、折り返し部谷３２にすると、袖口の汚れる部位に膨隆部１が位置するようになる。
又、折り返し部谷３２と市販シャツ袖口先端Ｉを略一致させて折り曲げるように調整する。
市販シャツ袖口先端Ｉが折り返し部谷３２に包含されることで、袖口カバー５のみが見えて外見上好ましくなる。
折り返し部３１を設ける際、掛止部材２８、２９、３０を覆うように、折り返すと、掛止部材３０が露出せず外見がよくなる。
（Ｄ）は、折り返し部３１を折り返して、市販シャツ袖口Ｊに装着した状態である。
袖口カバー５と折り返し部３１それぞれの両端を市販シャツ袖口Ｊ両端より長く揃えて設け、両端に孔３９を開けてカフスボタンＯを装着しても良い。
（図５（Ｂ）（Ｃ）（Ｄ）参照）
（Ｃ）は、袖口カバー５をＭ市販シャツボタン孔とＮ市販シャツのボタンで掛止した状態である。
【０００９】
図５において、
（Ａ）は袖口カバー５の両端と同じ大きさの折り返し部３１を有する構成で、又
これにより市販シャツ袖口Ｊを袖口カバー５と折り返し部３１の間に挟み込み外から見えなくすることができる。
（Ｂ）は、袖口カバー５両端より突出して突出折り返し部４５構成すると、突出折り返し部４５を相互に密着させてカフスボタンＯを使用する際、重ね部を薄くできる。（Ｄ）参照。
（Ｃ）は袖膨隆部６を袖口カバー突出部４６より短く設けている。
（Ｄ）は、突出折り返し部４５の短部に孔３９を設けて、装飾のカフスボタンＯを用いるのを可能にしている。
（Ｅ）は、（Ｄ）のＡーＡ断面で、内側に袖口カバー５、中間に市販シャツ袖口Ｊ、外側に突出折り返し部４５になって市販シャツ袖口Ｊを挟み込んでいる。
【００１０】
図６において、
（Ｄ）は線膨隆部４７を設けた袖口カバー５で、線膨隆部４７は複数設けてもよく、
（Ｅ）は鎖線膨隆部４８を線状に配置して設けた袖口カバー５で全ての面に配置して設けてもよく、
（F）は点膨隆部４９を線状に配置して設けた袖口カバー５で点膨隆部４９は全ての面に配置しても良い。
【００１１】
図７において、
（Ｄ）は小鉛直膨隆部５１を複数並べて設けたことで通気が良くなる袖口カバー５、
（Ｅ）は線膨隆部４７を複数本、設けたことで皮膚の接触面が増し、皮膚のすれが減少する袖口カバー５、
（Ｆ）は鉛直膨隆部５０を複数設けたことで手首の通気が良くなり高温時には体温が下げられる、袖口カバー５、
（Ｇ）は点膨隆部４９を縦に複数設けたことで汚染部が少なくなり通気が良くなる袖口カバー５、又、点膨隆部４９はすｂ全ての面に列にせず、複数配置してもよい。
（Ｈ）は小鉛直膨隆部５１を袖口カバー５ の前方に複数配置して設けたことで通気が良くなる袖口カバー５。
（Ｉ）は点膨隆部４９を全ての面に配置した袖口カバー５、
【００１２】
図８において、
（Ｇ）市販シャツ袖口Ｊに半丸紐袖口カバー５６を掛止部材３で接合した状態を示し、
紐形状部材７３の一方側に半丸膨隆部７２を設け、反対側に掛止部材３を設けて、Ｊ市販シャツ袖口Ｊに着脱自在に接合し、
（Ｈ）市販シャツ袖口Ｊに丸紐袖口カバー５７を掛止部材３で接合した状態を示し、
紐形状部材７３の一方側に丸膨隆部７４を設け、反対側に掛止部材３を設けて、Ｊ市販シャツ袖口Ｊに着脱自在に接合する。紐形状部材７３には、組紐など紐形状部材なりなんでも良い。
これにより汚れた際に、５６半丸紐袖口カバー、５７丸紐袖口カバーを剥がして、新しいものと交換すると、市販シャツＬの洗濯回数が減ることを得る。
（Ｉ）は紐形状部材７３に接合部材７６で半丸膨隆部７２を設けた状態の拡大図で、
（Ｊ）は紐形状部材７３に接合部材７６で丸膨隆部７２を設けた状態の拡大図で、７５カバー７５で丸膨隆部７４と紐形状部材７３を包含してもよく、いずれも接合できる部材なら何でもよい。
【００１３】
図９において、
（Ｅ）はシャツの袖口を前袖口６６と後ろ袖口６７に分離し、分離面それぞれの間にファスナー６５を設け、前袖口６６と後ろ袖口６７を着脱自在に接合する。
前袖口６６に膨隆部６を設け、袖口カバー５として作用させ、前袖口６６と後ろ袖口６７の合計長は一般シャツの袖口の長さに一致させる。
【図面の簡単な説明】
【００１４】
【図１】袖口汚れの発生原因
【図２】膨隆部付袖口カバー
【図３】膨隆部の配置
【図４】袖口カバー折り曲げ部を設ける
【図５】袖口カバーの折り返し部構成
【図６】膨隆部の形状と配置方法１
【図７】膨隆部の形状と配置方法２
【図８】紐・帯形状の袖口カバー
【図９】袖口の先端に袖口カバーを設ける
【符号の説明】
【００１５】
Ｇ市販シャツ袖
Ｈ前方
Ｉ市販シャツ袖口先端
Ｊ市販シャツ袖口
Ｋ前方
Ｌ市販シャツ
Ｍ市販シャツのボタン孔
Ｎ市販シャツのボタン
Ｏカフスボタン
１膨隆部
３掛止部材
４袖口カバー先端
５袖口カバー
６膨隆部
７膨隆部材
８突片
９接合離反部材
１１模様
２３接合離反テープ凸
２４接合離反テープ凹
２５市販シャツ側掛止部材
２６市販シャツ側掛止部材
２７市販シャツ側掛止部材
２８掛止部材
２９掛止部材
３０掛止部材
３１折り返し部
３２折り返し部谷
３７端部
３８ボタン
３９孔
４０装飾部材
４３丸形状膨隆部
４４多角形状膨隆部
４５突出折り返し部
４６袖口カバー突出部
４７線膨隆部
４８鎖線膨隆部
４９点膨隆部
５０鉛直膨隆部
５１小鉛直膨隆部
５６半丸紐袖口カバー
５７丸紐袖口カバー
５８多角帯袖口カバー
５９接合部材凸
６０接合部材凹
６１接合離反部材Ａ
６２接合離反部材Ｂ
６５ファスナー
６６前袖口
６７後ろ袖口
７０衣類袖口
７１衣類袖
７２半丸膨隆部
７３紐形状部材
７４丸膨隆部
７５カバー
７６接合部材
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
衣類において、紐形状部材又は帯形状部材を用いて袖口カバーを構成し該袖口カバーの内側に膨隆部を設け外側に接合部材を設け袖口内側に着脱自在に接合することを特徴とする、袖口用袖口カバー。
【請求項２】
帯形状部材を用いて袖口と略同形状の袖口カバーを構成し該袖口カバーの一方の長手方向縁辺又は長手方向縁辺近傍に膨隆部を設け該袖口カバーの外側に接合部材を設け袖口内側に着脱自在に接合することを特徴とする、請求項１に記載の袖口用袖口カバー。
【請求項３】
前記膨隆部の短手方向断面は丸形状又は半円形状又は多角形状のいずれかであることを特徴とする、請求項１又は２に記載の袖口用袖口カバー。
【請求項４】
前記膨隆部は線形状又は鎖線形状又は点形状のいずれかに配置して設けることを特徴とする、請求項１、２又は３に記載の袖口用袖口カバー。
【請求項５】
前記袖口カバーの帯形状部材を前記膨隆部より先端方向及び該膨隆部両端の双方に突出して設けて先端方向を折り返して設けることを特徴とする、請求項１、３又は４に記載の袖口用袖口カバー。
【請求項６】
前記袖口カバーを袖口より前方に突出して着脱自在に接合することを特徴とする、請求項１、２、３又は４に記載の袖口用袖口カバー。
【請求項７】
前記袖口カバーを袖口の先端に着脱自在に接合することを特徴とする、請求項１、２、３、４、５又は６に記載の袖口用袖口カバー。
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
衣類において、紐形状部材又は帯形状部材の長手方向縁辺又は長手方向縁辺近傍にその大きさより大きな膨隆部を設け袖口カバー外側に接合部材を設け袖口内側に着脱自在に接合することを特徴とする、袖口用袖口カバー。
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
衣類において、紐形状部材又は帯形状部材の長手方向縁辺又は長手方向縁辺近傍に、長手方向に沿うように連続した膨隆部が袖口カバー内側に設けられ、袖口カバー外側に接合部材が設けられ、該袖口カバーが袖口内側に着脱自在に接合されることを特徴とする、袖口用袖口カバー。